(57)【要約】  望ましくない流出または漏洩に起因する危険物などを処理する方法であって、散乱物質の中和、散乱物質の固化、物質の不動化、および／または流出物からの有害または望ましくないガス状態の発生軽減の工程または効果の１つまたはそれ以上を含み、好ましくはポリアクリラート−ポリアクリルアミドの架橋共重合体を含む結合剤を使用する方法を開示する。【選択図】図５
2010530258.tif 000002
【特許請求の範囲】
【請求項１】
酸性物質を含有する危険物処理のための組成物であって、アクリルアミド単位とアクリラート単位を含む少なくとも１つの架橋共重合体を含む結合剤と該結合剤を危険物に送達するための担体剤とを含む組成物。
【請求項２】
前記組成物が、セルロースエーテル、加工デンプン、デンプン誘導体、天然ゴム誘導体、ポリアクリル酸塩、エチレンオキシド重合体、メタクリル酸重合体、ポリエチレンイミン重合体、ポリビニルピロリドン重合体、およびそれらの混合物から成る群から選ばれた水溶性重合体をさらに含む、請求項１に記載の組成物。
【請求項３】
酸を含有する危険物を処理できるシステムであって、アクリルアミド単位とアクリラート単位を含む架橋共重合体を含む結合剤と該結合剤を危険物領域に送達するための手段とを含むシステム。
【請求項４】
酸を含有する危険物を処理できるシステムであって、結合剤；該結合剤を危険物領域へ運ぶための担体剤であって、該結合剤を担持するか又は該結合剤から形成された布地を含む担体剤；該布地を保持することが可能な排出シュート；及び、該布地が該危険物の少なくとも一部と接触してそこで該結合剤が該危険物からの危険性を軽減するように、該危険物の現場に、該現場から安全な距離から該布地を発射するための手段；を含む、システム。
【請求項５】
前記排出シュートが、該発射手段を収容する銃と接続されている、請求項３に記載のシステム。
【請求項６】
前記システムが、前記結合剤の少なくとも一部を入れた第一のタンクと、結合剤を該タンクから危険物の現場に、該現場から安全な距離から発射するための手段とをさらに含む、請求項３に記載のシステム。
【請求項７】
前記システムが、前記結合剤の少なくとも一部を入れた第一のタンクと、結合剤を該タンクから危険物の現場に、該現場から安全な距離から発射するための手段とをさらに含む、請求項４に記載のシステム。
【請求項８】
酸を含有する危険物の広がりを抑制するシステムであって、
推進剤を受け入れるようにされた内部と外部側面を有する容器、
該内部と流体連通している推進剤、
該外部に配置され該内部と流体連通しているノズル、及び
該内部または該ノズル内に配置される結合剤、を含む、システム。
【請求項９】
前記結合剤がアクリルアミド単位とアクリラート単位を含む少なくとも１つの架橋共重合体を含む、請求項８に記載のシステム。
【請求項１０】
前記結合剤が固体である、請求項９に記載のシステム。
【請求項１１】
前記容器が可搬性である、請求項１０に記載のシステム。
【請求項１２】
前記ノズルが枢軸旋回性である、請求項１０に記載のシステム。
【請求項１３】
前記推進剤が前記容器中に配置されている、請求項１１に記載のシステム。
【請求項１４】
前記推進剤が可燃性燃料、加圧ガス、圧縮液体、またはこれらのある組み合わせから選ばれる、請求項１２に記載のシステム。
【発明の詳細な説明】
【技術分野】
【０００１】
本発明は、危険物の望ましくない散乱、特にフッ化水素含有組成物のような酸性物質の流出物の封じ込め、軽減、中和、および／または浄化のための組成物、方法、および装置に関する。
【背景技術】
【０００２】
フッ化水素は、種々のプロセス、たとえば、触媒としてアルキル化反応、フッ素化剤としてフッ素化反応、フッ化物の製造、ウラン同位体の分離、およびフッ素含有プラスチックの生産において工業的に使用されている周知の化合物である。フッ化水素が揮発性で、極めて危険な物質であることは周知である。さらに、フッ化水素は蒸気圧が高いために容易にエアロゾル化する。
【０００３】
種々の組成物と方法が、危険物、特に酸含有物質、さらに具体的にはフッ化水素含有物質の浄化に有用であることが知られている。しかし、これらの組成物と方法の多くには何らかの不都合がある。
【０００４】
米国特許第４，３８３，８６８号（Braley）は、液状の危険な化学薬品の流出物処理方法、また特にフッ酸流出物の制御と浄化のための流出物処理方法に関する。この特許において開示された方法はポリアクリルアミドおよび（アルカ）アクリル酸アルキル（alkyl(alk)acrylate）の重合体または共重合体の両方を含有する固体微粒子混合物を流出物に適用することに関する。この物質は、流出物を不動化し、流出物からのガスの発生を減らすといわれ、多くの危険な液状化学薬品の流出物処理において、ポリアクリルアミドまたはポリ（アルカ）アクリル酸アルキルのどちらかの単独使用より効果的であるといわれる。第４，３８３，８６８号特許は、（アルカ）アクリル酸アルキルの重合体または共重合体が１つまたはそれ以上の（アルカ）アクリル酸アルキル、例えばアクリル酸メチル、アクリル酸エチル、メタクリル酸メチル、メタクリル酸ブチル、またはメタクリル酸エチルから誘導される重合体でもよく、または、（アルカ）アクリル酸アルキルから誘導される単位の実質的な割合が例えば少なくとも８０モル％であり、１つまたはそれ以上の共重合可能なエチレン性不飽和モノマーから誘導される単位とからなる共重合体であってもよいことを示す。この特許は、（アルカ）アクリル酸アルキルの重合体または共重合体の量が、危険な化学薬品の処理に使用される微粒子混合物の重量で８０％を超える量の組成で存在すべきでないことを教示する。
【０００５】
米国特許第４，８６５，７６１号（Mandelら）は、危険な有機流出物を中和し凝固させるための方法と組成物に関する。開示された組成は、任意成分に加えて、約５％から３０％の吸収性のある粘土と約１０％から５０％のポルトランドセメントを含む。そのような組成物と方法は危険な流出物の現場へ輸送するのに比較的重いという不都合、さらにはいったん中和され開示組成中に吸収された危険物の浄化および／または回収に伴う困難がつきまとう。
【０００６】
先行技術の方法はある程度の成功を収めたかもしれないが、本出願人が信じるところによれば、いくつかの不都合が存在するため、よりよい方法、装置、および組成物が必要とされる。例えば、本出願人が信じるところによれば、処理物質がその単位質量当たりＨＦのような危険物に対してより高い吸収能、保持能、不動化能など有利な特性を有する浄化と処理のための物質および方法が依然として必要とされている。本発明はこれらの必要性を特に満足させる。
【発明の概要】
【０００７】
本発明は危険な流出物状況を処理するために、新しい組成物と方法、およびそのような組成物と方法を使用する装置を対象とする。ここで使用する用語「処理」は化学薬品の散乱すなわち普通にはそのような物質の意図しない流出という形態が、環境および／または生物に与える負のまたは有害な影響を軽減することを意味する。好ましい態様においては、危険物は酸含有物質を含む。好ましい態様における本発明の処理方法は次の工程または効果の1つまたはそれ以上を含んでもよい：すなわち、散乱した物質の中和、散乱した物質の凝固、物質の不動化、および／または流出物からの有害または意図しないガス状物質の発生の減少である。上記の工程／効果のそれぞれが流出した物質の一部だけに作用してもよいと理解されるべきだが、好ましい態様では、散乱した危険物の十分な部分に、さらに好ましくは実質的に全体に、１つまたはそれ以上の望ましい効果が達成されるやり方でその方法と組成物が加えられ供給される。
【０００８】
好ましい態様において、本発明の組成物と方法は、安全な距離から行うことができるので実質的にすべての流出物が（少なくとも部分的に、ただし好ましくは実質的に全体的に）反応し、中和され、不動化され、および／または不揮発化され流出物の領域内の警備作業者らへの危害を最小限にする。
【０００９】
本発明者らは、好ましい態様において、流出または漏洩した危険物あるいは望ましくない散乱物の少なくとも一部を１つまたはそれ以上の結合剤に接触させ、好ましくは実質的に被覆させることによって本方法が実施できることを見出した。本発明の好ましい接触工程の結果として、危険物と結合剤を含む集合体（mass）が結合剤を含まない物質よりも大幅に危険度の低い状態で生成される。便宜上、結合剤と危険物を含む集合体を「処理済み集合体」と呼ぶことがあるが、必ずしも限定を目的とするものではない。好適な結合剤は、上記の１つまたはそれ以上の有利な特徴、特性および／または効果を有しており、処理済み集合体を生成するために有利に使用できる。本発明に関連した用途に一般に適応できると考えられる結合剤は下記の係属中の出願であってそれぞれが本出願の譲受人に承継されている出願に例示される。出願番号６０／９４３０２６（代理人事件番号Ｈ００１４６７５（３３６３１）および出願番号６０／９４３０３３（代理人事件番号Ｈ００１２２８３（３３３４２））。
【００１０】
ある好ましい態様では、結合剤はここに含まれている教示に従って、１つまたはそれ以上のポリアクリラート−ポリアクリルアミドの架橋共重合体を含み、好ましくはこれらから本質的に構成される。好適な架橋共重合体は、特にここに述べる好適方法の工程に従って使用される時に、ここに述べる望ましい特性、特徴、効果および／または操作方法を有している処理済み集合体を首尾よく提供するための実質的な能力がある。例えば、本発明の好適なポリアクリラート−ポリアクリルアミドの架橋共重合体は、フッ化水素（ＨＦ）などの酸性物質を保持するための能力において、そのような用途で使用される他の公知の物質の多くよりはるかに高い能力を示す。これらの好適な結合剤の驚くほど高い能力は、本方法、組成物、および装置によれば特に有利である。例えば、本物質の高い能力は、処理済み集合体中の結合剤（たとえば共重合体）に対する危険物（ＨＦなど）の相対的な割合が高いことを意味し、流出現場に輸送される必要がある結合剤の量（そして潜在的にはそのコスト）が減少することを意味する。その結果、好ましい態様において、先行技術による物質よりもその現場がより早くより効果的に処理されることになり、潜在的には健康と環境の重要な保護をもたらす。
【００１１】
さらに、本発明者らが見出したところによれば、ポリアクリラート−ポリアクリルアミドの架橋共重合体と酸性物質、特にフッ化水素、との親和性のある混合物がここで開示されるある態様における本方法と本装置の使用の結果として好適に形成され、処理済み集合体における危険物（フッ化水素など）の揮発性の減少をもたらす。この処理済み集合体は好ましくは比較的高粘性で、一般に酸性物質に比べてより大きな表面張力を有し、従ってエアロゾル雲を含むガス状または液状の酸性物質の形成を防ぐ。従って、本発明の組成物、方法、および装置は、従来から使用された方法の多くに比較して、放っておけばそのような流出物が生成するであろう緊急な危害を劇的に低減できる。さらに、ある態様において本発明は流出物領域を、浄化および／または修復しやすくすることができる。
【００１２】
従って、ある態様において本発明は、好ましくは固体またはゲル状である、好ましくはアクリルアミドとアクリラートを含む架橋共重合体を含む結合剤と、危害を起こす物質へ当該共重合体を運ぶことを助ける剤とを含む処理物質を供給する。ある好ましい態様において、その担体剤（carrying agent）は好ましくは推進剤を含み、当該推進剤は、結合剤が危険物に運ばれるための推進力を結合剤に提供する。好ましくは、そのような態様において、担体剤は、比較的不活性で、安定していて、容易に除去・消散されるガスであって、それ自身が本来的に環境にまたは健康に有害でない。そのような担体剤の例として加圧窒素が挙げられる。
【００１３】
本発明のある非常に好ましい態様において、本処理物質は、アクリル酸塩と架橋したアクリルアミドを含む架橋共重合体を含み、そのような処理物質は好ましくは固体またはゲル状である。
【図面の簡単な説明】
【００１４】
【図１】図１は、本発明の一態様による可搬式処理装置の一態様の軸方向縦断模式図である。
【図２】図２は、図１の拡大詳細図である。
【図３】図３は、本発明の可搬式処理装置の別の態様の斜視図である。
【図４】図４は、危険流出物に配備後の処理装置の周囲環境図である。
【図５】図５は、温度とＨＦゲル組成の関数として蒸気圧をグラフで表現したものである。
【発明を実施するための形態】
【００１５】
方法と装置
本発明の方法における側面のうち、一態様には結合剤を供給する工程と当該結合剤を流出物又は意図しない危険物の散乱物の少なくとも一部に適用する工程を含む。ある態様における結合剤の供給工程は、処理用途に好適な形態の結合剤源を供給することを含む。他の態様においては、結合剤は適用工程の一部として好適な形態で供給されてもよい。例えばある態様では、結合剤は危険物に直接使用するにはよく適合しない固形ブロックまたはシート状の結合剤の形態で供給されてもよい。そのような場合には結合剤の適用工程は、固形ブロックまたは固形シート状の結合剤を微粒子の形態へ転換する工程を含んでもよい。これは好適な態様で行われてよく、例えば爆発力または他の高エネルギー力が結合剤を発射し、また第一にブロック、フィルムまたはシートを粉砕して、結合剤が微粒子、粉末、および／またはエアロゾルという形態で現場に送達されるようにする。そのような形態は危険な現場への物質運搬性に関して一定の用途において有利であろう。
【００１６】
好適な態様においては、適用工程により結合剤と危険物との間で接触が生じ、接触工程の前の物質よりも危険度の低い処理済み集合体を形成するのに効果的である。好適な接触工程は広範な時間に渡って処理済み集合体を形成するように意図されているが、最初の接触からそのような危険度の低い集合体が形成される段階までの時間が数時間を超えないことが好ましく、より好ましくは約３時間未満、さらに一層好ましくは約１時間未満である。この時間はもちろん各適用と関連した多くのパラメータの関数であり、すべてのそのような時間は本発明の範囲内にある。
【００１７】
好適な態様において、適用工程は加圧ガスのような担体剤を供給することと、結合剤が例えば圧力差と関連した衝撃排出によって発射され危険物と接触するように結合剤を担体剤と混ぜ合わせることとを含む。そのような装置の個々の構成は本発明の範囲内で大きく異なってよく、すべてのそのような構成は本発明の範囲に入る。例えば、サンドブラスト処理または研摩剤や他の微粒子物質を目的の場所へぶつけることによるその他の処理を行うために従来使用されてきた装置を本発明に関連する用途に容易に改造することができるであろう。しかし、そのような装置からの排出速度および／または圧力が制御され、あるいは排出流の衝撃が制限され、送達した結合剤にさらされた危険物が実質的に広がった範囲に散乱する度合いを安全なものにするかあるいは少なくとも最小にすることが好ましい。後に詳細に説明されるような網の使用により、他の目的に加えて、危険物が実質的に広がった範囲に散乱する度合いを安全なものにするかあるいは少なくとも最小にするために、排出流の衝撃を制限するというこの目的をかなえてもよい。
【００１８】
他の態様において、適用工程は例えば、点火後の酸化剤と固体燃料の反応結果などの化学反応によって生成された推進力を有する担体剤を供給する工程を含む。多くの態様において、そのような反応によって生成される担体剤は、結合剤を危険な場所に運ぶエアロゾルという形態をとる。そのようなエアロゾルは本明細書では「花火のように生成されたエアロゾル（pyrotechnically generated aerosol）」と呼ぶことがある。本発明の結合剤は、既知のタイプの散キャニスターまたはモジュールに組入れられて、結合剤の危険物への効果的な送達を達成することができる。そのような態様は、危険物が気流の大きな変化または他の天候変化など環境条件変化にさらされない状況下で特に効果的である。
【００１９】
他の態様において、適用工程は、結合剤を担持する、または組み込んだ、または担持することができる布地またはほかの繊維マトリクスの形態で担体剤を提供することと、その布地またはほかの繊維マトリクスを危険物に送達することとを含む。例えば、そのような態様において、共重合体は編物または網状の布地中に埋め込まれ、塗布され、および／または繊維の形態に一体化され、容易に危険物に送達させることができるが、好ましい態様では、危険な流出物の少なくとも一部を覆うか取り囲むように配備され得るような毛布またはカーテン状に形成することができる。ある態様では、そのような配備は、そのような網、編物、カーテン、または類似品を形成することと、流出物領域の少なくとも一部を覆うように共重合体を含むか担持する物質を発射することを含む。
【００２０】
当業者に知られている多くの装置を、結合剤を危険物に送達させるのに使用することができ、すべてのそのような装置は本発明の範囲に入る。好ましい態様では、本発明の送達装置またはシステムは、担体剤および／または結合剤を保持するための少なくとも１つの容器または導管と、結合剤を少なくとも一部の危険物に送達させ接触させるように、危険物から安全に隔てられている位置から担体剤と結合剤を排出するための手段とを含む。ある態様では好適な装置は、少なくとも担体剤が加圧して貯蔵されたか供給される不活性ガスである消火器タイプの装置を含む。他の場合には、担体剤は爆発的な排出の結果として装置内でまたは装置によって生成される。
【００２１】
ここに含まれている教示を考慮して本発明に関連した用途に改造することができる爆発的な排出を利用する装置の一態様を図１と図２に示す。最初に図１を参照すると、全体が１で示される可搬式結合剤送達装置はハンドル２および長尺の筒状ケーシング３を含み、ケーシング３は末端３ａとハンドル２に固定される中央に近い端３ｂを有する。室４はケーシング３中に画定され、既定の温度で本発明の担体剤に、好ましくはエアロゾル形態で、転換され得る固形物質の充填物５を収納する。ある形態では、充填物５は反応性成分を含むだけでなく、本発明の結合剤を好ましくは微粒子の形態で中に分布させ組み入れる。集合物５の反応性成分の化学的物理的特徴は発明を理解する目的には本質的に無関係であるから、詳細説明をここでは省くが、好適に選定して反応条件が結合剤の悪化すなわち結合剤の機能を妨げる変化を起こさないようにすることに注意すべきである。ある結合剤のために使用可能な１つの例では、反応性成分は硝酸カリウム、樹脂、および有機酸化剤を含む圧縮された混合物を含む。
【００２２】
全体が９で示されるプラグのスリーブ状の部分８が開口部７に挿入される。プラグ９は好ましくはプラスチック材料からなり、周辺の縁１０および送達開口部７と中央のスリーブ状部分８の間の放射状の締め代によって筒状のケーシング３の末端に保持される。この部分で、全体が１１で示される先頭カプセルは外側または前方位置に保持され、関連した遅延ヒューズ１２は直接に内側または後方位置に保持されカプセル１１と充填物５の中間に置かれる。先頭カプセル１１は、例えばユーザーが握り環１５をつかんで引っ張ることができる金属線、コードなどの手動操作可能な活性化要素１６の端部１６ａと密接するように配置された小さな可燃性充填物１３を含む。 可燃性の充填物１３は薄い逆カップ形の容器１７中に入れられ、容器の底にはコード１４の挿入用の中心穴がある。プラグ９には容器１７の穴と位置合わせされた穴１９を有する横壁１８がある。防護カバー２０は消火器の末端を閉じて先頭カプセル１１とその活性化要素１６を保護する。好ましい操作において、ユーザーはカバー２０を開き、握り環１５をつかみ、矢印Ａによって示される方向に勢いよくコード１４を引っ張る。活性化要素によって可燃性充填物１３に与えられた摩擦力または他の力がその発火とヒューズ１２に点火する炎を生成する。ヒューズは好ましくは数秒間燃え、担体剤と結合剤が排出される前にユーザーが装置の末端部から手を離す時間を与える。燃焼がヒューズ１２に沿って伝搬し集合体５の反応性成分に到達すると、発熱化学反応を引き起こし極めて微小な粒子のエアロゾル懸濁物を生成する。反応に伴う圧力の増加はプラグ９の排除を引き起こす。充填物の燃焼によって生成するエアロゾル流体は開口部７から勢いよく排出されて、安全な距離から危険物に向けることができる。
【００２３】
装置のもう１つの形態では、長尺管状ケーシング３の末端から放出されるように置かれた別の集合体として結合剤が供給されてもよい。そのような態様において、コード１４はケーシングの側壁の小さな塞がれた開口部を通過させてもよく、結合剤は充填物１３の遠位側の管中に置かれる。そのような態様では、結合剤は微粒子の形態で供給されてもよく、または結合剤は、所望の大きさの結合剤粒子を生成するように装置の操作により壊れやすい形態で供給されてもよい。また、図１と図２の装置は、ケーシングの遠位部に詰め込まれた本発明の布地を保持して危険物が位置する所望領域を覆うように計画された方法で反応力によって噴出されるように改造されてもよい。さらに、これらの技術の二つまたはそれ以上のいかなる組み合わせでも装置に組み入れられることは理解されるべきで、例えば、結合剤を含浸した網と結合剤粒子のエアロゾルの両方が装置の操作によって噴出されてもよい。
【００２４】
操作の多様な形態を可能にする別の態様を図３および図４に開示する。図を参照すると、参照数字１０によって全体が表示される装置が、本発明の処理網を好適に組み込んでいることが分かる。図示の好適な態様において、網１２は全体に丸い形状で、中心点１４と外周１６がある。しかしながら他の形状を本発明に従う用途に適応できることが理解されよう。網１２は、本発明の結合剤を組み込んだ布地または編物から製造される。危険物が爆発の危険もある態様のために、網は好ましくは爆発封じ込め材料から形成することができ、当該材料は、芳香族ポリアミドの群に属する有機系編み糸であるアラミド編み糸（商標ケブラーの名で市販され、E.I.Du Pont de Nemours and Companyによって製造される）のように高い引張り応力を有する。
【００２５】
ある態様では網１２は装置につながなくてもよいが、好適な態様において網は綱４０（図４参照）を経て装置１０に接続される。図示の態様では、綱４０は、下記のとおり危険な現場に結合剤の別の流れを送達する目的の管状の綱であるが、綱はすべての態様でこの機能を果たす必要はないことが理解される。同様に、綱４０が結合剤を危険物に供給するための管状綱である態様では網は結合剤のための担体剤である必要がないことが理解される。それにもかかわらず、装置が結合剤を送達する両方の機構を組み込んでいることは一般に好ましい。
【００２６】
好適な態様では、ノズル１８は網１２上にあって、中心点１４に位置してもよい。好ましくは、一連のおもり２０が網に、好適には網の外周１６に、配置される。本発明のこの態様の装置／システムは、円錐ローダ２６、適切な握り２８、銃床３０(必要に応じて)、および引き金３２を有する銃２４を含む。もちろん、ローダの形状は使われている網の形状に従って容易に改変することができる。好適な態様では、ローダが容易に取り換え可能なように銃を構成し、網の形状と大きさを現場到着時に選択して各危険条件の環境に適合させてもよい。バヨネット形式の配置を使用して、ローダが容易に取り替え可能なようにすることで、大きさと形状の要求に適応するようにしてもよい。ローダのネジ形式の取り付けも可能である。
【００２７】
銃は空気圧によって発砲することができ、高圧ガス源(図示されず)が銃２４を発砲するための空気の力を供給する。この高圧ガス源は外部または内部いずれかのキャニスターでよく、または銃の薬室３４を通して銃に供給される小さなカートリッジでもよい。あるいは、銃２４は標準空砲のような射撃カートリッジによって発砲することができる。
【００２８】
第一のタンク３６を設けて、担体剤および／または結合剤を保持する。ある態様では、担体剤および／または結合剤、または場合により危険物の現場にも送達することが望ましいその他の物質を保持するために第二のタンクをも設ける。銃にある引き金３２がタンク３６および３８の内容物の排出を制御することができるように、第一のタンク３６と第二のタンク３８は銃２４を通る導管４０を経由して網１２にあるノズル１８に流体の流れで連結している。好適な態様では二つのタンク３６および３８は、導管４０に入る前に多岐管４２を通過する。導管４０の部分(銃２４とノズル１８の間に配置される部分）は構造の小型化のためにコイル状にすることができる。背負い紐４４は二つのタンク３６および３８の携行を容易にするために配置することができる。
【００２９】
好ましくは、一方のタンク内に担体剤を入れ、他方のタンクに結合剤を入れ、二つの混合が多岐管中または銃の適切に設計された薬室中で起こるように、多岐管４２を選択することができる。もちろん、ある態様では担体剤と結合剤を予め混合し一方または両方のタンクに一緒に入れておくことは可能である。他の態様では、タンクに結合剤だけを入れ、担体剤をノズル２８経由で供給する。
【００３０】
操作において、網１２は適切に折りたたまれて、銃２４の円錐ローダ２６内に置かれ、銃２４は適切に準備される(射撃カートリッジが燃焼室３２に挿入されるか、または加圧ガスが銃のために供給される)。ユーザーがＨＦの流出物のような処理のために適切な目標物を確認したら、危険物またはその少なくとも一部分の上を網１２で覆うために、ユーザーは引き金３２を引いて目標物に向けて網１２を発射する銃２４を発砲する。網１２の外周に沿ったおもり２０は網が目標物の周りに適切に着地し目標領域を効果的に被覆するのに有効である。引き金３２を継続して締めつけると、網１２によって被覆されている目標物の上に結合剤がノズル１８を通して排出されるように担体剤が操作される。もちろんこの作業順序は本発明の範囲の中で変更することができる。
【００３１】
ある態様では、配備手段は危険な液体全体にわたって結合剤を十分に分散するのに相応しい力で結合剤を発射する。すなわち、より危険度の低い混合物を迅速に十分に形成するように、結合剤は危険な液体と混合される。他の態様では、配備手段は結合剤を危険な液体の表面に発射し、そこで液体上に保護層を形成する。さらに他の態様では、配備手段は危険な液体の表面または１つあるいはそれ以上の離れた部分に結合剤を発射し、そこで危険な液体と混合される。装置または方法がこれらおよび他の配備手段の二つまたはそれ以上のいかなる組み合わせをも含むことができることが理解されよう。
【００３２】
本発明の好適な態様において、酸含有の危険物の広がりを抑制するためのシステムが提供され、当該システムは容器、好ましくは可搬式容器であって内部と外部側面を有し、当該内部は推進剤を受け入れるように適合された容器；当該内部と流体連通している推進剤；ノズル、好ましくは当該外部に配置され当該内部と流体連通している枢軸旋回するノズル；および、当該内部または当該ノズル内に配置される結合剤、を含む。好ましくは、そのような態様における結合剤は、固形、好適にはペレット、粉末、顆粒、ファイバー、またはそれらの組み合わせの形態である、アクリルアミド単位とアクリラート単位を含む少なくとも１つの架橋重合体を含む。好ましくは、推進剤は容器の中に配置され、可燃性の燃料、加圧ガス、または圧縮された液体であって、例えば亜酸化窒素、二酸化炭素、空気、希ガス、ヒドロフルオロアルカン、ヒドロフルオロオレフィン、およびそれらの組み合わせである。
【００３３】
組成物
好ましい態様では、危険物は、吸収性の重合体または錯化剤のような結合剤を含む組成物に接触させられ、少なくとも危険物の一部を含む処理済み物質を形成する。当該処理済み物質は固体、半固体、または粘性のある液体であり、および／または雰囲気圧以下の蒸気圧を有し、および／または高い表面張力を有する。好ましい態様では、処理されている酸性物、好適にはＨＦはその化学的性質が未処理状態から実質的に変化していないので、処理済み物質から容易に定量的に回収することができる。
【００３４】
本明細書で使われる用語「抑制」は制止や阻止を意味する。抑制の例としては揮発および／またはエアロゾル化する傾向を不動化し抑圧することが挙げられるが、限定的ではない。
【００３５】
本明細書で使われる用語「不動化」は、動きを妨げることを意味する。
本明細書で使われる用語「危険な」は、財産または健康が危険にさらされるか、あるいは人、植物、動物、または環境の安全または安定性に悪影響をもたらすか、抑制されないと厄介なものを意味する。危険物の例には可燃物、腐食剤、爆発物、発がん性物質、毒物、突然変異誘発物、有臭物、放射性物質、揮発物、または化学的に不安定な物質が挙げられるが、限定的ではない。
【００３６】
本明細書で使われる用語「結合剤」は、二つの物質間に強い化学的または生理化学的吸引力を及ぼすか生成する能力を有する物質を意味する。強い化学的および生理化学的吸引力としてはイオン結合、非イオン結合、求電子性、嫌電子性（electrophobicity）などが挙げられる。結合剤の例としてはヒドロゲルなどの吸収性重合体、及びイオン性液体のような錯化剤が挙げられるが限定的ではない。
【００３７】
好ましくは、結合剤は液体中にまたは液体表面に容易に、そして迅速に分散可能な形態である。容易に、迅速に分散可能な形態の例としては液体および粉末、顆粒、ペレット、ファイバー、またはそれらの組み合わせなどの固体が挙げられる。
【００３８】
ある好適な態様では、組成物の温度および／または圧力を変化させるような一定条件下で容易に危険物を放出するような様式で、組成物は危険物に結合する。そのような態様では、危険物は再び安全に保管された後に回収され得る。
【００３９】
ある態様では、担体剤は酸化可能な燃料に代えてまたは加えて、空気、窒素、二酸化炭素、希ガスのような圧縮ガスを含むことができる。そのような態様では、圧縮ガスは急速に放出されて、結合剤を発射させる。
【００４０】
結合剤の選択は、容器に入れられる危険物に基づいて主に決定される。本発明が実施できる危険物の例には、限定的ではないが、硝酸、濃硫酸、濃塩酸、シアン化ナトリウム水溶液、無水シアン化ナトリウム、シアン化水素水溶液、無水シアン化水素、臭素、三フッ化臭素、アンモニア、トリフルオロホスフィン、四塩化チタン、発煙硫酸、クロロスルホン酸、塩素、フッ素、フッ化水素水溶液、無水フッ化水素、ホスゲン、石油、およびこれらの誘導体が挙げられる。本明細書で使われる用語「誘導体」は関連した同類化合物と同じ基本構造、基礎となる化学成分、または化学的特性を有する化合物または化学構造を意味する。そのような誘導体には、限定的ではないが、関連した同類化合物から生産され、または得られる化合物または化学構造が含まれる。
【００４１】
好適な態様において、結合剤は吸収性の物質である。特に好適な吸収性の物質は吸収性の重合体である。吸収性の重合体の例としては、限定的ではないが、ポリアクリルアミド、ポリアルキルアクリルアミド、ポリアクリラート、ポリアルキルアクリラート、ポリアクリル酸塩、架橋ポリアクリルアミド−ポリアクリラート共重合体、セルロースエーテル、加工デンプン、デンプン誘導体、天然ゴム誘導体、エチレンオキシド重合体、ポリエチレンイミン重合体、ポリビニルピロリドン重合体、およびそれらの混合物または重合体が挙げられる。そのような結合剤は例えば米国特許４，３８３，８６８号と米国特許６，１７７，０５８号に記述され、それぞれは本明細書に参照により含まれる。
【００４２】
これらの吸収性の重合体は、特に、硝酸、濃硫酸、濃塩酸溶液、シアン化ナトリウム水溶液、臭素、四塩化チタン、発煙硫酸、クロロスルホン酸、および無水フッ化水素を結合するのに好適である。
【００４３】
無水フッ化水素およびフッ化水素水溶液への結合には、ポリアクリラート−ポリアクリルアミドの架橋共重合体、特にポリアクリル酸塩から誘導される共重合体、並びに架橋ポリアクリルアミド−ポリアクリラート共重合体と、ポリアクリルアミド、ポリアルキルアクリルアミド、ポリアルキルアクリラート、およびポリアクリル酸塩の少なくとも１つとの混合物が好適である。
【００４４】
ある態様では、結合剤は錯化剤である。好ましい錯化剤には、限定的ではないが、有機塩、特にイオン性液体を形成する有機塩が含まれる。好適な有機塩の例には、限定的ではないが、テトラアルキルホスホニウム、テトラアルキルアンモニウム、ピリジニウム、Ｎ−アルキルピリジニウム、Ｎ，Ｎ’−ジアルキルイミダゾリウム、およびイミダゾリウムからなる群から選ばれた陽イオンを含む塩が挙げられる。特に好適な有機塩は、置換された塩化イミダゾリウムであり、塩化１−メチル−３−エチルイミダゾリウムがより好まれる。これらの有機塩は、塩素を結合するには特に役立つ。これらの有機塩と塩素の好適な組成物は、環境蒸気圧より低い蒸気圧を有する。
【００４５】
本発明で実施され得る他の結合剤は、シアン化水素水溶液と無水シアン化水素およびアンモニアを結合するのに役立つポリアクリル酸、石油と石油ベースの化合物を結合するのに役立つステアリン酸カルシウム、並びに三フッ化臭素とトリフルオロホスフィンによって電解質を生成するのに役に立つテトラフルオロホウ酸アゾリウムを含む。
【００４６】
本発明のある好適な態様では、結合剤は、少なくとも１つポリアクリラート／ポリアクリルアミドの架橋共重合体を含み、好ましくは主要な割合で含み、さらに好ましくは本質的にこれらから構成される。本明細書で使われる用語「共重合体」は、重合されて１つまたはそれ以上の鎖として構成される二つまたはそれ以上の異なる単量体残基を有する重合体を意味する。鎖の中のこれらの単量体の単位の配列は、異なる単量体が規則的に交互に並ぶもの、または単量体の単位を規則的なあるいはランダムな順序で繰り返すものを含む。さらに、鎖は直鎖、分岐鎖あるいはグラフト鎖、またはブロック共重合体として存在することができる。
【００４７】
本明細書で使われる用語「架橋」は、元素、官能基、化合物、または重合体単位から構成される橋による重合体分子の二つの鎖の連結であって、鎖の特定の原子を一次化学結合により結びつけるものを意味する。ある態様では、架橋は二つまたはそれ以上の重合体の鎖の間で起り、共重合体構造を形成する。他の態様では、架橋は配列が同じような二つまたはそれ以上の共重合体の鎖の間で起る。好ましくは、架橋は共重合体のアミド基とカルボキシル基の間で起る。
【００４８】
本発明の架橋共重合体は乾燥状態において、好ましくは粉末、顆粒、ペレットなどの形態の固体である。酸性物質、特にフッ化水素にさらされると共重合体の鎖は、膨張しまたは広がって酸性物質を取り込むか吸収して固体または半固体物質（例えばゲルのような）を形成する。共重合体の架橋のため、共重合体は酸性物質、特にフッ化水素、および水に好適には不溶性である。
【００４９】
特定の理論に縛られることを意図するものではないが、共重合体によるフッ化水素の取り込みは共重合体の陰性カルボキシル基およびそれらのフッ化水素分子による水和によって促進されると考えられる。共重合体がアルカリ金属またはアンモニウムイオンを含む態様では（例えば、アクリル酸塩による共重合体の形成の場合）、フッ化水素の存在下、アルカリ金属またはアンモニウムはカルボニル基から遊離して二つのイオン、カルボキシル（ＣＯＯ−）とアルカリ金属またはアンモニウムイオン（例えばＮａ＋）を生成すると考えられる。カルボキシル基はそれらが同じ負電荷を有するので、互いに反発し始める。この反発は重合体の鎖を広げあるいは膨らます。膨潤作用により、多くのフッ化水素が重合体の鎖と結合し、重合体のネットワーク内の空間に留まる。
【００５０】
重合体鎖間を架橋することで、共重合体が液体フッ化水素または他の液体に溶けることを防ぐことができる。鎖が水和した場合に、架橋により鎖がランダムに動き回らなくなる。一般に、架橋は共重合体の吸着能に影響を与え、鎖中の架橋が増加すると重合体の液体吸着能が減少する（例えば「浸透および超吸収性重合体（Osmosis and Super Absorbent Polymers）」イリノイ大学アーバナ−シャンペーン校を参照）。しかし、本発明者が意外にも見出したところによると、本発明の架橋共重合体は共重合体を構成する個々の重合体に比べて液体フッ化水素の処理能力が相当高い。
【００５１】
本発明の好適な架橋共重合体はアクリルアミド単位とアクリラート単位の両方で構成される。用語「アクリルアミド」の範囲には、アクリルアミド自身（すなわち２−プロペンアミド）、ポリアクリルアミド、ポリアルキルアクリルアミド（例えばポリメチルアクリルアミド）、そのようなアクリルアミドの単量体残基、およびそれらの誘導体が含まれる。本明細書で使われる用語「誘導体」は関連した同類化合物と同じ基本構造または基礎となる化学成分を有する化合物または化学構造を意味する。そのような誘導体は関連した同類化合物から生産され、または得られる化合物または化学構造に限定されない。本発明で利用できるアクリルアミド単位はアクリルアミドの個々の構造単位、アクリルアミドの反復単位、および、少なくとも一部がアクリルアミドで組み立てられた重合体鎖を含む。
【００５２】
用語「アクリラート」の範囲には、アクリル酸（すなわち２−プロペン酸）、アクリル酸塩（例えばアクリル酸ナトリウム、アクリル酸カリウムなど）、アクリル酸アルキル（例えば、アクリル酸メチル、メタクリル酸ブチルなど）、ポリアクリル酸、ポリアクリル酸アルキル、ポリアクリル酸塩、そのようなアクリラートの単量体残基、およびそれらの誘導体が含まれる。本発明で利用できるアクリラート単位はアクリラートの個々の構造単位、アクリラートの反復単位、および、少なくとも一部がアクリラートで組み立てられた重合体鎖を含む。
【００５３】
特に好適なアクリル酸塩はアクリル酸カリウム、アクリル酸ナトリウム、およびアクリル酸アンモニウムが含まれ、アクリル酸カリウムが特に好ましい。
ポリアクリラート−ポリアクリルアミドの架橋共重合体は、ドイツのクレーフェルトのデグサＡＧ（商品名STOCKOSORB（登録商標）の名で市販）、日本の協立有機工業研究所（商品名Hymosab（登録商標）200の名で市販）、およびウィスコンシン州ミルウォーキーのAldrich(カタログNo.43,277−6)を含む多様な供給元から市販されている。
【００５４】
本発明の共重合体は、共重合体の全重量に対して、好ましくは約１から約９９重量パーセント、さらに好ましくは約５から約６０重量パーセント、のアクリルアミド単位を含む。本発明の共重合体は共重合体の全重量に対して好ましくは約１から約９９重量パーセント、さらに好ましくは約５から約６０重量パーセント、のアクリラート単位を含む。
【００５５】
一般に、本発明に使用される架橋共重合体は、約５，０００から約１０，０００，０００の分子量を有する。好適には、約５，０００から約５，０００，０００の分子量を有する架橋共重合体が使用される。
【００５６】
本発明者が見出したところによれば、本発明の架橋共重合体はフッ化水素に対して非常に高い処理能力を有する。ＨＦに対する重合体の処理能力測定は、過剰なＨＦと重合体を混合し、重合体を飽和させるように一定時間混合物を放置し、過剰なＨＦをろ過で除き、過剰ＨＦ及び飽和した重合体を秤量することによって可能である。
【００５７】
架橋共重合体の処理能力は実用的なＨＦ−ゲルシステムにとっては重要であるが、他の特性も同様に考慮されるべきである。注目すべき他の特性は、共重合体とＨＦの混合時の発熱、生成する組成物の蒸気圧、組成物の粘度、ゲル化時間、出発重合体の密度／体積、加圧下の組成物の処理能力、組成物からＨＦの回収の容易さ、システムによるＨＦエアロゾル形成の低減、および重合体のＨＦへの混合または分散である。
【００５８】
従って、本発明ではポリアクリラート／ポリアクリルアミドの架橋共重合体に加えて、他のＨＦ吸収性重合体および共重合体が使用できることが考えられる。好ましくは、これらの他の重合体および共重合体を、ポリアクリラート／ポリアクリルアミド架橋共重合体と混合し、組成物のいくつかの特性を最適化する。例えば、一定量のＨＦをゲル化させるのに必要な時間が重要な用途では、本発明は、高いＨＦ処理能力を有する共重合体とゲル化が早い別の重合体または共重合体との混合物を含む。ＨＦと、共重合体または重合体が混合されるときに、ゲルの形成に過度な熱の発生が伴う可能性がある。従って、本発明のある態様では、高い処理能力のある架橋共重合体と、より小さな発熱を有し処理能力がより低い重合体または共重合体との混合物を利用する。
【００５９】
ポリアクリラート／ポリアクリルアミドの架橋共重合体と混合できる他の重合体の例としては、本明細書に参照によって組み込まれる米国特許第６，１７７，０５８号に記述されるものが挙げられる。好適な重合体はセルロースエーテル、加工デンプン、デンプン誘導体、天然ゴム誘導体、ポリアクリル酸塩、エチレンオキシド重合体、メタクリル酸重合体、ポリエチレンイミン重合体、ポリビニルピロリドン重合体、およびそれらの混合物から成る群から選ばれる水溶性重合体を含む。
【００６０】
本発明の範囲を逸脱せずに、他の成分を本発明の結合剤組成物に含めてもよい。これらの成分の具体的性質は組成物の目的とする最終用途に依存する。
好ましくは、フッ化水素蒸気を遊離させるのに有効な条件に処理済み物質をおくことによって、フッ化水素は処理済み物質から容易に回収することができる。フッ化水素蒸気を遊離させる１つの手段は、組成物を高温、一般には約０℃から約２００℃、好ましくは約８０℃から約１５０℃に加熱してフッ化水素蒸気を遊離させることである。蒸気はその後、任意の都合のよい手段によって凝縮することができる。別の方法として、フッ化水素は組成物上の圧力を減少させるか、または圧力と温度の両方を上げた後に蒸気を凝縮することによって遊離することができる。フッ化水素回収のためのこの代替手段は、約６０から約１ｐｓｉａの圧力および約２０℃から約５０℃の温度で遂行することができる。またさらに、処理済み組成物から有用なフッ化水素の回収を、フッ化水素を使う多種多様な工程中にこの組成物を使用することで行うことができる。
【実施例】
【００６１】
本発明は、単に典型例であることを意図した下記の実施例を考慮することによってさらに明確になる。
実施例１
ドイツ、クレーフェルトのデグサＡＧ製のStockosorb M（アクリルアミド/アクリル酸カリウム架橋共重合体)約０．５グラムを、ペルフルオロアルコキシ（ＰＦＡ）容器の中に入れ、重合体の上にスクリーンを取付け、排気した。ＰＦＡ容器をその後秤量し、約−７８℃まで冷却した。無水ＨＦ約２９グラムを重合体上に蒸留により加えた。ＰＦＡ容器を室温に温め秤量した。約２時間後に、ＰＦＡ容器を逆にして過剰のＨＦを第二の排気したＰＦＡ容器の中に排出した。ＨＦ−重合体のゲルは第一のＰＦＡ容器の濾過スクリーン上に留まった。重合体ゲル入り容器を前と同様に秤量し、重合体が、重合体１グラムあたり約４５．６グラムのＨＦを吸収したことが分かった。この実験を数回繰返し、平均的な処理能力は重合体１グラムあたり約４５．２グラムの無水ＨＦであることが分かった。これを表１に示す。
【００６２】
実施例２−４
Stockosorb MをそれぞれStockosorb CW、FW、およびSWに置き換えて、実施例１の手順を実施例２−４について繰返した。各組成物についての結果を表１に示す。
【００６３】
実施例５
実施例１の手順は、微粒子重合体では実行しにくく、結果において許容できないほどのばらつきが起こったので、別の方法によりそれらの処理能力を明らかにした。約０．５グラムのStockosorb CWをＰＦＡ容器に入れ、ＨＦを入れた容器と接続し、系を排気した。ＨＦ容器のバルブを開き、重合体に２日間ＨＦ蒸気を吸収させた。この期間の終了時に重合体は、重合体１グラムあたり３７．６２グラムのＨＦを吸着した。新たな重合体によって実験を繰返し、約４日間ＨＦ蒸気を吸収させた。この期間の終了時に、重合体は重合体１グラムあたり４０．９０グラムの無水ＨＦを吸着した。これらの二つの測定平均値を表１に示す。この手法は実施例１に述べた方法と異なるが、重合体が報告されているシステムよりさらに多くのＨＦを吸収することを示している。
【００６４】
実施例６
実施例２における手順をStockosorb FWによって繰返した。各組成物のための複数の実験の平均を表１に報告する。
【００６５】
比較例７−１５
表１に記載の重合体を使用すること以外は、実施例１の手順を繰返した。これらの重合体のＨＦ処理能力を表１にまとめてある。試験結果によれば、アクリルアミド／アクリル酸カリウム架橋共重合体はアクリラート共重合体に比べて非常に高いＨＦ処理能力を有する。
【００６６】
実施例１６
少量のStockosorb Mを予め秤量したＦＥＰ容器中に入れた。容器を排気して先と同様に秤量し、重合体の重量（０．１１１１グラム）を決定した。試料をその後金属真空ラインと再接続し、−７８℃に冷却し、過剰のＨＦを重合体上に蒸留により加えた。その後、容器＋重合体＋ＨＦの重量を得た。このシステムの蒸気圧を２０℃で測定した。少量のＨＦを容器から蒸留し、次いで容器＋ポリマー＋ＨＦの重量を得た。このＨＦを減らしたシステムの蒸気圧を再び２０℃で測定した。ＨＦのほとんどすべてが除去されるまで、この手順を複数回繰返した。この実験を３回行い、そして、いくつかの標準組成物で蒸気圧を計算し、図１にプロットした。結果から、組成物の蒸気圧の低いことが明らかである。
【００６７】
実施例１７
実施例１６を０℃にて繰返した。結果を図１に示す。
実施例１８
実施例１６を４０℃にて繰返した。結果を図１に示す。
【００６８】
実施例１９
実施例１６を６０℃にて繰返した。結果を図１に示す。
実施例２０
約８グラムのStockosorb Mを、２０℃で約１８０グラムのＨＦが入ったシリンダに素早く加えた。シリンダの中の膨張重合体の高さに基づくと、約１６０秒で、ＨＦは約６５％がゲル化した。その後まもなく、ＨＦは完全にゲル化した。シリンダ内容物の温度が２９℃に達した後、２０℃に冷却した。この試験から共重合体がＨＦを迅速に取込むことが明らかとなった。
【００６９】
実施例２１
ドイツ、クレーフェルトのデグサＡＧ製のStockosorb M（アクリルアミド/アクリル酸カリウムの架橋共重合体）約０．４９グラムをペルフルオロアルコキシ（ＰＦＡ）容器の中に入れ、重合体の上にスクリーンを取付け、排気した。ＨＦ（４９ｗｔ％）水溶液約７８．８グラムを重合体の上に移した。ＰＦＡ容器を秤量した。約２時間後にＰＦＡ容器を逆にして、過剰ＨＦを第二の排気したＰＦＡ容器の中に排出した。ＨＦ−重合体ゲルは第一のＰＦＡ容器の濾過スクリーンの上に留まった。重合体ゲルの入った容器を前と同様に秤量し、重合体は、重合体１グラムあたり約７２．５グラムのＨＦ水溶液を吸収したことが分かった。
【００７０】
比較例２２
約１５０グラムの水を０．５グラムのStockosorb Mに加え、約２時間放置した。混合物をその後濾過した。重量増加に基づき、重合体は重合体１グラムあたり約２５４グラムの水を吸収した。
【００７１】
比較例２３
約１６５グラムの脱イオン水を０．５８グラムのAldrich製のポリアクリル酸の部分ナトリウム塩に加えて、混合し、比較例１４と同様に濾過した。重合体は重合体１グラムあたり約２３１グラムの水を吸収した。従って、Stockabsorb MはこのAldrich重合体より約１０％多く水を吸収した。水についてのこれらの例に基づくと、二つの重合体は水に関しては非常に類似した吸収処理能力を有する。従って、StockosorbがAldrich重合体より約２２倍多くのＨＦを吸収することは全く類推できない（表１）。
【００７２】
実施例２４
ＨＦを迅速に吸収する重合体Ａを、ＨＦをよりゆっくり吸収するが重合体Ａよりも低い蒸気圧を有するゲルを生成する重合体Ｂと混ぜることができる。その後この重合体混合物をＨＦに加えることができる。その結果ゲルが迅速に形成し、容認できる程度に低い蒸気圧を有し、ＨＦエアロゾル滴を形成する傾向を軽減できる。
【００７３】
実施例２５
ＨＦを迅速に吸収する重合体Ｃを、よりゆっくりＨＦを吸収するがＨＦの吸収についてはより高い処理能力を有する重合体Ｄと混ぜることができる。その後この重合体混合物をＨＦに加えることができる。その結果ゲルが迅速に形成し、ＨＦについて容認できる程度に高い処理能力を有することができる。
【００７４】
実施例２６
ポリマーＡ、Ｂ、およびＤを混ぜ、その後ＨＦに加えることができる。その結果ゲルが迅速に形成し、ＨＦについて容認できる程度に高い処理能力を有し、容認できる程度に低い蒸気圧を有し、ＨＦエアロゾル滴を形成する傾向を軽減できる。
【００７５】
【表１】
2010530258.tif 000003
【００７６】
実施例２７
ノズルと引き金機構を備えた、粉末薬品タイプの空の消火器キャニスターを用意する。キャニスターをアクリルアミド単位とアクリラート単位を含む架橋共重合体を含む結合剤で部分的に満たす。キャニスターをその後圧縮されたガスを使って加圧する。
【００７７】
液体フッ化水素を浅い皿に注ぐ。キャニスターのノズルをフッ化水素に向け引き金機構を作動する。結合剤はその後キャニスターから放出されフッ化水素と接触するよう発射される。フッ化水素に接触すると、結合剤は共重合体とフッ化水素を含むゲル状物質を形成し始める。数分以内にフッ化水素の実質的に全体がゲル状物質の中に不動化される。
【００７８】
本発明のいくつかの具体的態様を上述したので、当業者は本明細書に含まれる教示を考慮して具体的に記述されなかった様々な変更、修正、および改良が利用でき、かつ本発明の範囲内にあることが明白である。そのような変更、修正、および改良は、本開示で自明にされるのと同様に、本明細書に明示的に記述されていなくても本記載事項の一部であることが意図され、本発明の思想と範囲の中にあることが意図される。従って、前述の記載は例証だけであって限定的なものではない。本発明は添付の請特許請求の範囲およびその均等物によって規定されるようにのみ限定される。
【図１】
2010530258.tif 000004
【図２】
2010530258.tif 000005
【図３】
2010530258.tif 000006
【図４】
2010530258.tif 000007
【図５】
2010530258.tif 000008
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
フッ化水素を含有する危険物の広がりを抑制するシステムであって、
フッ化水素を含有する危険物の少なくとも一部を固体またはゲル中に留めるための不動化組成物であって、アクリルアミド単位とアクリラート単位を含む少なくとも１つの架橋共重合体を含む結合剤と担体剤とを含む組成物、及び
フッ化水素を含有する危険物を保持及び／または輸送するための内部を有する容器であって、該内部に該不動化組成物を受け入れるようにされている容器、
を含むシステム。
【請求項２】
前記容器が、前記内部に配置されたフッ化水素を含有する危険物をさらに含む、請求項１に記載のシステム。
【請求項３】
前記不動化組成物が、セルロースエーテル、加工デンプン、デンプン誘導体、天然ゴム誘導体、ポリアクリル酸塩、エチレンオキシド重合体、メタクリル酸重合体、ポリエチレンイミン重合体、ポリビニルピロリドン重合体、およびそれらの混合物から成る群から選ばれた水溶性重合体をさらに含有する、請求項１に記載のシステム。
【国際調査報告】
2010530258.tif 000009
2010530258.tif 000010
2010530258.tif 000011